【事件の表示】
　上記当事者間の登録第２６５２０３０号商標の登録取消審判事件について、次のとおり審決する。
【結　論】
　本件審判の請求は、成り立たない。
　審判費用は、請求人の負担とする。
【理　由】
第１　本件商標
　本件登録第２６５２０３０号商標（以下「本件商標」という。）は、別掲のとおりの構成よりなり、昭和５０年４月１６日に登録出願、第１１類に属する商標登録原簿に記載のとおりの商品を指定商品として、平成６年４月２８日に設定登録され、その後、２回にわたり商標権の存続期間の更新登録がされ、平成１７年８月１０日に、指定商品を第９類「調相機，回転変流機，整流器，変圧器，誘導電圧調整器，配電盤，継電器，開閉器，断路器，遮断機，制御器，抵抗器，蓄電器，避雷器，リアクトル，点滅器，接続器，配線函，ヒューズ，乾電池，湿電池，蓄電池，電流計，電圧計，電力計，積算電力計，位相計，周波数計，検漏計，電波測定器，空中線測定器，抵抗測定器，容量測定器，真空管特性測定器，発振器，検出器，磁気測定器，回路計，オッシログラフ，裸線，ゴム線，プラスチック線，巻き線，特殊被覆電線，動力ケーブル，通信ケーブル，接続函，終端函，接続用スリーブ，電気アイロン，電気式ヘアーカーラー，電鈴，電気ブザー，電話機械器具，有線通信機械器具，放送用機械器具，無線通信機械器具，遠隔測定制御機械器具，音声周波機械器具，電気通信機械器具，電子応用機械器具」とする指定商品の書換の登録がされたものであり、その商標権は、現に有効に存続しているものである。
　なお、本件取消の請求の登録は、平成２８年９月２７日にされたものである。
第２　請求人の主張
　請求人は、本件商標の指定商品中、第９類「抵抗器，蓄電器，接続器，電流計，電圧計，電力計，積算電力計，位相計，周波数計，検漏計，電波測定器，空中線測定器，抵抗測定器，容量測定器，真空管特性測定器，発振器，検出器，磁気測定器，回路計，オッシログラフ，電話機械器具，有線通信機械器具，放送用機械器具，無線通信機械器具，遠隔測定制御機械器具，音声周波機械器具，電気通信機械器具，電子応用機械器具」についての登録を取り消す、審判費用は被請求人の負担とするとの審決を求め、その理由を本件商標は、その指定商品中、本件審判の請求に係る指定商品について、継続して３年以上日本国内において、商標権者、専用使用権者又は通常使用権者のいづれによっても使用されていないから、その登録は、商標法第５０条第１項の規定により取り消されるべきである旨述べ、証拠方法として甲第１号証を提出した。
　なお、請求人は、被請求人の答弁に対して何ら弁駁していない。
第３　被請求人の主張
　被請求人は、結論同旨の審決を求めると答弁し、その理由を要旨次のように述べ、証拠方法として、乙第１号証ないし乙第６号証を提出した。
１　使用の事実
　以下のとおり、本件商標の商標権者（以下、単に「商標権者」という。）は、本件審判の請求の登録前３年以内（以下「要証期間内」という。）に、本件商標と社会通念上同一の商標を付した商標権者発行の製品総合カタログ（以下「本件カタログ」という。）を頒布した（乙１〜乙４）。また、商標権者は、要証期間内に、本件商標と社会通念上同一の商標を付した受領書を頒布した（乙５、乙６）。そして、本件カタログには、本件請求に係る指定商品に含まれる商品が存在し、また、受領書に記載の売上商品は、本件請求に係る指定商品に関するものである。
（１）使用に係る商標
　ア　本件カタログでの使用
　本件商標は、図形（以下「ミヤマ図形」という。）の右横に「ミヤマ電器」とデザイン化された文字を横書きに表記したものである。
　本件カタログ（乙１）の表紙の下段には、本件商標と同一のミヤマ図形に続いて横書きで、「ミヤマ電器株式会社」と表記されている。
　「ミヤマ電器株式会社」は、商標権者の名称であり、ミヤマ電器と略称されたり、ミヤマ電器（株）と表記されたりするものであり、その上、ミヤマ図形も「ミヤマ電器」の文字部分も本件商標のデザインと全く同一に表記されたものである。
　したがって、本件カタログ表紙に表記された商標は、本件商標と社会通念上同一と認められる商標である。
　なお、会社名の略称部分の登録商標に、「（株）」又は「株式会社」を付した表記は、従来の取消審判においても社会通念上同一と認められている。
　イ　取引書類での使用
　２０１６年５月９日付け受領書（乙５）及び同年７月２６日付け受領書（乙６）の右上には、本件商標と同一のミヤマ図形と横書きにした「ミヤマ電器株式会社」が表記されており、これらも、本件カタログ表記の商標と同様、本件商標と社会通念上同一と認められる商標である。
（２）使用に係る商品
　ア　本件カタログに関して
　本件カタログ（乙１）には、以下のとおり、本件請求に係る指定商品が掲載されている。直接商品に付されたものではないが、カタログでの使用も登録商標の使用とされた審決例がある。
（ア）接続器に相当する商品として次の製品が記載されている。
　ａ　ＭＣ・ＡＣコンセント：ＭＣ−０３７（１０２頁上段）
　ｂ　ＭＴターミナル：ＭＴ−１２２、ＭＴ−１２３、ＭＴ−１２４、ＭＴ−１２９（１０２頁下段）
　ｃ　ＩＣクリップ：ＭＪ−００１、ＭＪ−０３２、ＭＪ−０３３（１０１頁）
　ｄ　ミノムシクリップ：ＭＪ−００２、ＭＪ−００６、ＭＪ−００８（１００頁）
（イ）検出器に相当する商品として次の製品が記載されている。
　ａ　アミューズメント用検出スイッチ：ＭＳ−９３１（９９頁：スイッチと記載されているが、具体的にはパチンコ玉の通過を検出するものである。）
　ｂ　振り子式転倒スイッチ：ＤＳ−３６０、ＤＳ−３６１（９８頁：スイッチと記載されているが、暖房器具等の転倒などを検出するものである。）
　ｃ　コネクタータイプ押し釦スイッチ：ＭＳ−５３０（１６頁：ドア開閉を検知するためのものである。）
（ウ）電子応用機械器具に相当する商品として次の製品が記載されている。
　ａ　押釦スイッチ：ＭＳ−７０１（５７頁：この製品には受注で電子回路を組み込んで販売するものである。）
　イ　取引書類に関して
　２０１６年５月９日付け受領書（乙５）は、接続機構部品：ミノムシクリップ：ＭＪ−００８（本件カタログ１００頁記載製品）、同年７月２６日付け受領書（乙６）は、接続機構部品：ＭＴターミナル：ＭＴ−１２３（本件カタログ１０２頁下段中記載製品）に関するものであり、いずれも本件請求に係る指定商品中、接続器に該当する商品である。
（３）使用時期
　ア　本件カタログの頒布時期
　本件カタログは、裏表紙の最下段右端の「２０１３．１０（５，０００）」の記載より想定できるように、２０１３年１０月に作成されたものであり、要証期間内に作成され、現在まで継続して頒布している。
　商標権者は、要証期間内の少なくとも平成２８年８月２６日に、本件カタログを頒布した。乙第２号証は、本件カタログの請求を受けた際のメール記録のプリントアウトであり、乙第３号証は、当該メールに対応して本件カタログを出荷した際の記録のプリントアウトである。すなわち、２０１６年（平成２８年）８月２６日付けミヤコテック株式会社からのメールで本件カタログ送付の請求を受け、同日付で福山通運便で出荷、配布した。
　また、電話での資料請求であったため、メール記録等は存在しないが、乙第４号証の出荷記録のプリントアウトに示されるように、２０１６年（平成２８年）７月１５日に本件力夕ログを出荷し、配布があったことが記録されている。
　したがって、要証期間内に、本件カタログが頒布されたことは明らかである。
　イ　取引書類の頒布時期
　乙第５号証は、２０１６年（平成２８年）５月９日付けであり、乙第６号証は、２０１６年（平成２８年）７月２６日付けである。いずれも、要証期間内に、商標権者より納品書等と共に配布されたものである。
　２　むすび
　以上のように、商標権者は、本件審判の請求の登録前３年以内に日本国内において、本件商標と社会通念上同一の商標を、本件請求に係る指定商品に使用していることは明らかである。
第４　当審の判断
　１　被請求人提出の証拠及び答弁の理由によれば、以下の事実を認めることができる。
（１）乙第１号証は、「製品総合カタログ」との表示のある本件カタログであるところ、その表紙の下段には、赤色で表した「∧」３つを、その一部をそれぞれ重ね合わせて横に並べた図形（ミヤマ図形）と、その右に、やや図案化し、黒色で表した「ミヤマ電器株式会社」の文字を横書きしてなり、これらの図形と文字の下に、「ＭＩＹＡＭＡ　ＥＬＥＣＴＲＩＣ　ＣＯ．，ＬＴＤ．」の文字が横書きされている。
　そして、表紙の下段に表示されたミヤマ図形と「ミヤマ電器」の文字部分は、色彩を同一のものとすれば、本件商標とほぼ同一の構成態様からなるものである。また、同裏表紙には、「本社　〒１４５−００６４　東京都大田区上池台４ー７ー１」、「技術部　〒１４５−００６４　東京都大田区上池台５ー２２ー５」などの文字が記載され、その右下には、「２０１３．１０（５，０００）」と記載されている。
　さらに、本件カタログの１頁には、「目次」として、例えば、「新製品　ＮＥＷ　ＰＲＯＤＣＴ　１６〜１７頁」、「振り子式転倒スイッチ　ＳＷＩＮＧ　ＳＥＮＳＯＲ　ＰＥＮＤＵＬＵＭ　ＳＷＩＴＣＨＥＳ　９８頁」、「検出スイッチ　ＤＥＴＥＣＴＩＮＧ　ＳＷＩＴＣＨＥＳ　９９頁」、「接続機構部品　ＭＥＣＡＨＡＮＩＣＡＬ　ＣＯＭＰＯＮＥＮＴ　ＰＡＲＴＳ　１００〜１０２頁」などと記載され、そのうちの、例えば、「新製品」における「コネクタータイプ押し釦スイッチ　ＭＳ−５３０」の説明文（１６頁）には、「アミューズメント機器のドア開閉検知用に最適」と記載され、「振り子式転倒スイッチ」の説明文（９８頁）には、「スイッチを装着した製品の傾斜や転倒を検出し、ＯＮ−ＯＦＦの切り替えを行う振り子式のスイッチです。」と記載されている。
（２）乙第２号証は、ミヤコテック株式会社から商標権者に宛てた２０１６年（平成２８年）８月２６日付け電子メールの記録と認められるところ、その内容は、概略「現在、防水型プッシュスイッチを検討しています。総合カタログを送っていただけますでしょうか。（下記の住所へお願いします）・・京都市伏見区下鳥羽但馬町１６９」というものである。
（３）乙第３号証は、「大進工業社　福山通運便出荷実績２０１６年．ｘｌｓｘ」との標題のある書面であるところ、その「出荷日」欄には「２０１６０８２６」と、「荷受人住所１」欄には「京都市伏見区下鳥羽但馬町１６９」と、「荷受人名前１」欄には「ミヤコテック（株）」と、「荷送人住所１」欄には「東京都大田区上池台５ー２２ー５」と、「荷送人名前１」欄には「ミヤマ電器（株）」と、「品名記事３」欄には「カタログ」と、それぞれ記載されている。
（４）乙第４号証は、２０１６年（平成２８年）７月１４日から同年７月２９日にかけての商標権者における出荷記録をプリントアウトした書面と認められるところ、その「２０１６０７１５」の欄には、「東京都港区虎ノ門１−１−２０　第一商事（株）東京事務所」、「カタログ」などと記載されている。
（５）乙第５号証及び乙第６号証は、いずれも宛先が「ミヤマ電器株式会社御中」と記載され、「受領印」欄には、商標権者が納品した先の顧客のゴム印が押されていることから、商標権者の顧客が商標権者に宛てた受領書と認められるところ、前者は、伝票日付を２０１６年５月９日とし、その「図番」欄には、「赤／ＭＪ−００８−Ａ０２」と記載されており、また、後者は、伝票日付を２０１６年７月２６日とし、その「図番」欄には、「赤／ＭＴ−１２３−Ａ０１」と記載されている。そして、これらの受領書には、「伝票区分　売上」と記載され、その右上に表示された黒色で表したミヤマ図形と、黒色で横書きされた「ミヤマ電器株式会社御中」の文字中の「ミヤマ電器」の文字部分は、やや図案化されて表されており、本件商標と同一の構成態様からなるものである。
　なお、本件カタログ（乙１）によれば、「赤／ＭＪ−００８−Ａ０２」との品番の商品は、本件カタログの１００頁に掲載された「接続機構部品：ミノムシクリップＣ型」であり、また、「赤／ＭＴ−１２３−Ａ０１」との品番の商品は、本件カタログの１０２頁に掲載された「接続機構部品：ＭＴターミナル」であるを認めることができる。
２　前記１で認定した事実によれば、以下のとおりである。
（１）商標権者は、要証期間内である２０１３年（平成２５年）１０月に、本件商標と社会通念上同一と認められる商標を付した本件カタログを作成し、これを、要証期間内である２０１６年（平成２８年）８月２６日に京都市伏見区に所在の顧客に、また、同年７月１５日に東京都港区に所在の顧客に、それぞれ頒布したことを推認することができる。そして、本件カタログには、本件請求に係る指定商品に含まれる、少なくとも接続器（１００〜１０２頁）、検出器（１６、９８、９９頁）が掲載されていることを認めることができる。
（２）また、商標権者は、要証期間内である２０１６年（平成２８年）５月９日及び同年７月２６日に、本件請求に係る指定商品に含まれる接続機構部品を顧客に販売したことが推認され、その際に使用された受領書は、形式上商標権者の顧客が商標権者に宛てたものであるとしても、その右上に、本件商標と同一の構成態様からなるミヤマ図形と「ミヤマ電器」の文字が表示されていることや「伝票区分　売上」などの記載から、商標権者が前もって作成し、当該顧客が単に受領印を押しただけのものと優に推認することができるところ、これらは、通常の取引の過程で作成された取引書類であると認められるから、これらに基づいて本件商標の使用の事実を認定することに不合理なところはないというべきである。そして、各受領書には、本件商標と社会通念上同一と認められる商標が表示されていたといえる。
３　以上によれば、商標権者は、本件審判の請求の登録前３年以内に日本国内において、本件請求に係る指定商品に含まれる商品に関する広告、価格表若しくは取引書類に本件商標と社会通念上同一と認められる商標を付して、これらを頒布したものである。そして、商標権者の上記行為は、商標法第２条第３項第８号に該当するものと認めることができる。
　一方、請求人は、前記３の被請求人の答弁に対し、何ら弁駁するところがない。
４　むすび
　以上のとおりであるから、本件商標は、商標法第５０条の規定により、請求に係る商品について、その登録を取り消すことはできない。
　よって、結論のとおり審決する。